【事件の表示】
　特許第３０３９９４２号「織柄布を織る方法」の請求項１、２、７ないし１１に係る特許に対する特許異議の申立てについて、次のとおり決定する。
【結　論】
　訂正を認める。
　特許第３０３９９４２号の請求項１ないし４に係る特許を維持する。
【理　由】
１．手続の経緯
　特許出願　　　　　　　　　　　　　　　　　　平成２年２月５日
　（優先権主張　　１９８９年２月６日、ベルギー国）
　特許権設定登録　　　　　　　　　　　　　　　平成１２年３月３日
　特許異議申立て（請求項1,2,7-11に対し） 　　　平成１２年１１月１日
　取消理由通知（請求項1,2,7-11に対し）　 　　　平成１３年１月２３日
　意見書・訂正請求　　　　　　　　　　　　　　平成１３年５月２日
　
２．訂正の適否についての判断
　２−１．訂正の内容
（１）請求項１の「この基準値Ｒは織成中制御され、この変動は上記予め設定した織柄に従い規制され、この基準値Ｒは織成中制御され、この変動は上記予め設定した織柄に従い形成されるべき種々の柄領域（Ａ，Ｂ，Ｃ，Ｄ，Ｅ）の関数であって、」を「この基準値Ｒは織成中制御され、この変動は上記予め設定した織柄に従い形成されるべき種々の柄領域（Ａ，Ｂ，Ｃ，Ｄ，Ｅ）の関数であって、」と訂正。
（２）請求項１の「転移部で制御されることを特徴とする織柄をもつ布を織る方法。」を「転移部で制御される織柄布を織る方法において、上記連続柄領域（Ａ，Ｂ，Ｃ，Ｄ，Ｅ）が実際に形成される前に前記基準値が連続柄領域（Ａ，Ｂ，Ｃ，Ｄ，Ｅ）に基き変えられることを特徴とする織柄布を織る方法」と訂正。
（３）請求項２及び請求項３を削除。
（４）請求項４の「請求項１ないし３のいずれか１つに記載の方法。」を「請求項１に記載の方法。」に訂正し、請求項４の項番を２に繰上げ。
（５）請求項５の「請求項１ないし４のいずれか１つに記載の方法。」を「請求項１ないし２のいずれか１つに記載の方法。」と訂正し、請求項５の項番を３に繰上げ。
（６）請求項６の「請求項１ないし４のいずれか１つに記載の方法。」を「請求項１ないし２のいずれか１つに記載の方法。」と訂正し、請求項６の項番を４に繰上げ。
（７）請求項７〜請求項１１を削除。
　２−２．訂正の目的の適否、新規事項の有無、及び特許請求の範囲の拡張・変更の有無
　上記訂正（１）は、不明瞭な記載の釈明を目的としたものであって、重複した記載を整理したものであるから、新規事項の追加に該当せず、実質上特許請求の範囲を拡張し、又は変更するものではない。
　上記訂正（２）は、不明瞭な記載の釈明を目的としたものであって、特許請求の範囲の記載を整合させるものであり、新規事項の追加に該当せず、実質上特許請求の範囲を拡張し、又は変更するものではない。
　上記訂正（３）及び（７）は、特許請求の範囲の減縮を目的としており、請求項を削除するものであるから、新規事項の追加に該当せず、実質上特許請求の範囲を拡張し、又は変更するものではない。
　上記訂正（４）ないし（６）は、特許請求の範囲の減縮及び明瞭でない記載の釈明を目的としており、訂正により引用する請求項を減少し、また、特許請求の範囲の全体の記載を整合させるものであるから、新規事項の追加に該当せず、実質上特許請求の範囲を拡張し、又は変更するものではない。
　２−３．独立特許要件
　上記訂正前の請求項４ないし６に係る訂正は、特許異議の申立てがなされていない請求項についての訂正であるから、訂正後の請求項２ないし４に係る発明の独立特許要件について検討する。
　訂正明細書の請求項２ないし４に係る発明は、訂正明細書の特許請求の範囲の請求項２ないし４に記載された事項により特定されるものであって、請求項２〜４は同請求項１に係る発明の構成要素を全て含むものである。
　そして、当該請求項１に係る発明は、下記３−３．のように、異議申立人が提出した全刊行物に記載された発明に基づいて当業者が容易に発明できたものと認めることができず、同様の理由により、当該請求項２〜４に係る発明も異議申立人が提出した全刊行物に記載された発明に基づいて当業者が容易に発明できたものと認めることができない。また、他に訂正明細書の請求項２〜４に係る発明が、出願の際独立して特許を受けることができないものであるとする理由を発見しない。
　したがって、訂正明細書の請求項２ないし４に係る発明は、出願の際、独立して特許を受けることができるものである。
　２−４．むすび
　上記訂正は特許法第１２０条の４第２項及び同条第３項において準用する同法第１２６条第２〜４項の規定に適合するので、この訂正を認める。
　
３．特許異議の申立てについての判断
　３−１．申立てについての概要
　申立人津田駒工業株式会社は、下記の甲第１〜３号証を提示して、訂正前の請求項１，２，７−１１に係る発明の特許は、特許法第２９条第２項の規定に違反してなされたものであるから取り消すべき旨主張している。
　甲第１号証：特開昭６２−２６３３４７号公報（取消理由通知における刊行物１）
　甲第２号証：特開昭６０−９４６５１号公報（取消理由通知における刊行物２）
　甲第３号証：実願昭６０−６０３４９号（実開昭６１−１８０１８４号）のマイクロフィルム（取消理由通知における刊行物３）
　３−２．請求項１ないし４に係る発明
　上記訂正が認められた結果、請求項１ないし４に係る発明は、訂正明細書の特許請求の範囲の請求項１ないし４に記載された事項により特定されるとおりの次のとおりのものである。
　「【請求項１】たて糸を供給し、これによこ糸（２）を織込み、予め設定した織柄に従い種々の連続柄領域（Ａ，Ｂ，Ｃ，Ｄ，Ｅ）を形成する織成方法であって、たて糸の張力が織成中基準値Ｒに従い規制され、この基準値Ｒは織成中制御され、この変動は上記予め設定した織柄に従い形成されるべき種々の連続柄領域（Ａ，Ｂ，Ｃ，Ｄ，Ｅ）の関数であって、織布されるべき柄領域の関数ばかりでなく、手前の柄領域との転移の関数として転移部で制御される織柄布を織る方法において、上記連続柄領域（Ａ，Ｂ，Ｃ，Ｄ，Ｅ）が実際に形成される前に前記基準値が連続柄領域（Ａ，Ｂ，Ｃ，Ｄ，Ｅ）に基き変えられることを特徴とする織柄布を織る方法。
　【請求項２】上記連続柄領域（Ａ，Ｂ，Ｃ，Ｄ，Ｅ）の二つの領域間の転移部（Ｐ０，Ｐ１，Ｐ２，Ｐ３，Ｐ４，Ｐ５）各々において、小さい振巾のオーバシュートで制御が行われるように上記基準値（Ｒ３）が変動を有することを特徴とする請求項１に記載の方法。
　【請求項３】上記制御が少なくともバインドパターンに基づき行われることを特徴とする請求項１ないし２のいずれか１つに記載の方法。
　【請求項４】上記制御が少なくともよこ糸パターンに基づき行われることを特徴とする請求項１ないし２のいずれか１つに記載の方法。」
　３−３．対比・判断
　異議申立人の提出した甲第１号証は、「変わり織り制御方法」（発明の名称）に関するものであって、「打ち込み密度の変更時に、前記送り出し張力制御装置の張力設定値を補正的に変更する」（請求項６）ための構成として、次の記載がある。
　記載１−１．「実施例５は第９図及び第１０図のように、打ち込み密度Ｂに対応させて張力検出器からの張力信号の電圧を分圧している。このことによって、打ち込み密度がＢ２の時には、Ｂ１の時より擬似的にたて糸張力を下げることを意図しており・・・・密度の変更時に、例えば打ち込み密度Ｂ２が高密度でしかもたて糸２の張力が高いと開口が不充分となりやすいため、打ち込みが入らずに、織り前が複雑に振動することも考えられる。この実施例は、高密度に切り換えられたときに、たて糸２の張力を下げ、織り前のばたつきを防止するのに有効である。」（第５頁右下欄第１３行〜第６頁左上欄第８行）
　記載１−２．「実施例６は、・・・密度切換指令回路３４によって、２つの張力設定器２３ａ、２３ｂのうちいずれか一方を切換回路５３によって選択的に出力する例を示している。この場合は目標の張力値を切替えており、実施例５と同じ作用が得られ、しかも送り出しモータ１４の速度が打ち込み密度Ｂの変化と同期して、速やかに追従していく。」（第６頁左上欄第１０〜１７行）
　また、甲第２、３号証には、たて糸の張力検出器の具体的構成について記載されている。
　甲第１〜３号証には、「連続柄領域が実際に形成される前に前記基準値が連続柄領域に基き変えられる」点は記載されておらず、この点により、請求項１に係る発明は、「制御機素３０からなる調節機構には慣性があるため・・・・実際のたて糸張力の変化が正しい瞬間・・・・に起るという利点をもつ。」（訂正明細書第４頁第１５〜１８行）という格別の効果を奏するのであるから、請求項１に係る発明は、甲第１〜３号証に記載された発明に基づいて容易に発明できたものではない。さらに、請求項２〜４に係る発明は、請求項１に係る発明をさらに限定するものであるから、同様に甲第１〜３号証に記載された発明に基づいて容易に発明できたものではない。
　３−４．むすび
　以上のとおりであるから、特許異議申立ての理由及び証拠によっては、請求項１ないし４に係る発明の特許を取り消すことができない。
　また、他にこれらの特許を取り消すべき理由を発見しない。
　よって、結論のとおり決定する。
【異議決定日】
平成１３年５月３１日（２００１．５．３１）
【訂正の要旨】
（１）不明瞭な記載の釈明を目的として、請求項１の「この基準値Ｒは織成中制御され、この変動は上記予め設定した織柄に従い規制され、この基準値Ｒは織成中制御され、この変動は上記予め設定した織柄に従い形成されるべき種々の柄領域（Ａ，Ｂ，Ｃ，Ｄ，Ｅ）の関数であって、」を「この基準値Ｒは織成中制御され、この変動は上記予め設定した織柄に従い形成されるべき種々の柄領域（Ａ，Ｂ，Ｃ，Ｄ，Ｅ）の関数であって、」と訂正。
（２）特許請求の範囲の減縮を目的として、請求項１の「転移部で制御されることを特徴とする織柄をもつ布を織る方法。」を「転移部で制御される織柄布を織る方法において、上記連続柄領域（Ａ，Ｂ，Ｃ，Ｄ，Ｅ）が実際に形成される前に前記基準値が連続柄領域（Ａ，Ｂ，Ｃ，Ｄ，Ｅ）に基き変えられることを特徴とする織柄布を織る方法」と訂正。
（３）特許請求の範囲の減縮を目的として、請求項２及び請求項３を削除。
（４）特許請求の範囲の減縮及び不明瞭な記載の釈明を目的として、請求項４の「請求項１ないし３のいずれか１つに記載の方法。」を「請求項１に記載の方法。」に訂正し、請求項４の項番を２に繰上げ。
（５）特許請求の範囲の減縮及び不明瞭な記載の釈明を目的として、請求項５の「請求項１ないし４のいずれか１つに記載の方法。」を「請求項１ないし２のいずれか１つに記載の方法。」と訂正し、請求項５の項番を３に繰上げ。
（６）特許請求の範囲の減縮及び不明瞭な記載の釈明を目的として、請求項６の「請求項１ないし４のいずれか１つに記載の方法。」を「請求項１ないし２のいずれか１つに記載の方法。」と訂正し、請求項６の項番を４に繰上げ。
（７）特許請求の範囲の減縮を目的として、請求項７〜請求項１１を削除。
（５４）【発明の名称】
織柄布を織る方法
（５７）【特許請求の範囲】
　１．たて糸を供給し、これによこ糸（２）を織込み、予め設定した織柄に従い種々の連続柄領域（Ａ，Ｂ，Ｃ，Ｄ，Ｅ）を形成する織成方法であって、たて糸の張力が織成中基準値Ｒに従い規制され、この基準値Ｒは織成中制御され、この変動は上記予め設定した織柄に従い形成されるべき種々の連続柄領域（Ａ，Ｂ，Ｃ，Ｄ，Ｅ）の関数であって、織布されるべき柄領域の関数ばかりでなく、手前の柄領域との転移の関数として転移部で制御される織柄布を織る方法において、上記連続柄領域（Ａ，Ｂ，Ｃ，Ｄ，Ｅ）が実際に形成される前に前記基準値が連続柄領域（Ａ，Ｂ，Ｃ，Ｄ，Ｅ）に基き変えられることを特徴とする織柄布を織る方法。
　２．上記連続柄領域（Ａ，Ｂ，Ｃ，Ｄ，Ｅ）の二つの領域間の転移部（Ｐ０，Ｐ１，Ｐ２，Ｐ３，Ｐ４，Ｐ５）各々において、小さい振巾のオーバシュートで制御が行われるように上記基準値（Ｒ３）が変動を有することを特徴とする請求項１に記載の方法。
　３．上記制御が少なくともバインドパターンに基づき行われることを特徴とする請求項１ないし２のいずれか１つに記載の方法。
　４．上記制御が少なくともよこ糸パターンに基づき行われることを特徴とする請求項１ないし２のいずれか一つに記載の方法。
【発明の詳細な説明】
〔産業上の利用分野〕
　本発明は織柄をもつ布を織る方法に関する。更に詳細にいえば、織柄とは、よこ糸パターン、バインドパターン、布巻取パターンまたはこれらパターンの組合わせにより布に施しうるすべての織柄であって、公知の通り、色々なよこ糸で加工することと、色々なバインディングを使用することと、色々な布巻取速度を使用することによりそれぞれ布に施され得ると知られているすべての織柄のことである。
〔従来の技術〕
　色々な柄領域が連続的に形成される織柄は公知のものである。色々な柄領域を連続的に形成する場合、少なくとも一般の加工方法ではすべての柄領域について布の外観が良好でないという欠点をもつ。特に各種の柄領域間の転移部には、即ち布巻取パターンおよびまたはよこ糸パターンおよびまたはバインディンパターンに変更がある時には常に織りむらのような欠陥が布に現われる。
〔発明の目的〕
　本発明は上記のどんな織柄をもった布でも上記の欠点が解消され、この種の布が無欠陥で織られ、その結果、布の外観を極めて良く織成する方法を提供することにある。
〔発明が解決しようとする課題〕
　本発明は織柄をもつ布を織る方法であって、たて糸を供給し、これによこ糸（２）を織込み、予め設定した織柄に従い種々の連続柄領域（Ａ，Ｂ，Ｃ，Ｄ，Ｅ）を形成する織成方法であって、たて糸の張力が織成中基準値Ｒに従い規制され、この基準値Ｒは織成中制御され、この変動は上記予め設定した織柄に従い形成されるべき種々の連続柄領域（Ａ，Ｂ，Ｃ，Ｄ，Ｅ）の関数であって、織布されるべき柄領域の関数ばかりでなく、手前の柄領域との転移の関数として転移部で制御される織柄布を織る方法において、上記連続柄領域（Ａ，Ｂ，Ｃ，Ｄ，Ｅ）が実際に形成される前に前記基準値が連続柄領域（Ａ，Ｂ，Ｃ，Ｄ，Ｅ）に基き変えられることを特徴とする織柄布を織ることを特徴とする方法に関する。換言すれば、これは、布の転移部または織柄の変化につれて同時または実質的に同時にたて糸張力パターンを変えることである。この方法によれば、織られている柄領域に最適のたて糸張力が常に選択できることは明らかである。織るべき織柄の関数としての所望の最適たて糸張力は経験または表などに基づいて予め決定することができる。
〔実施例〕
　本発明の特徴を更によく説明するため、添付図面を参照し実施例について説明するが、これは本発明を限定するものではない。
　第１図は織柄をもつ布１を示す。公知の通り、かかる織柄は一定の布長Ｗにわたって延びこれは色々な柄領域Ａ，Ｂ，Ｃ，ＤおよびＥで作られ、布１は夫々の柄領域内では一様である。相続く柄領域間の転移部は記号Ｐ０乃至Ｐ５です。
　点Ｐ１においては、布巻取パターンに変化がある。詳細にいえば布巻取速度の増大の結果、よこ糸２の相互の間隔が大きくなる。
　点Ｐ２においては、よこ糸パターンに変化が起るが、この例の場合、より細い異種のよこ糸２Ａへの取換えによって生じたものである。
　点Ｐ３においては、バインドパターンに変化がある。即ちよこ糸２Ａは例えば柄領域Ｃの場合とは異なり柄領域Ｄでは２本どりでたて糸３内に織込まれる。
　点Ｐ４においては、よこ糸の種類とバインドの仕方の両方とも変わる。
　最後に、点Ｐ５においては、例えば布巻取速度を遅くしたことによる布巻取パターンの変化のため織柄に再び変化が起る。この点Ｐ５で、新たに同じ布長Ｗが始まるものとする。
　点Ｐ１乃至Ｐ５の付近での織むらの発生を防止し最適の布外観を得るために、本発明によればたて糸張力が基準値Ｒに従って規制されるが、これは以下説明するように、織成中、織られるべき柄領域Ａ乃至Ｅの特性と、柄領域と次の柄領域との間の転移部Ｐ０乃至Ｐ５の特性とに従って制御される。織柄のすべての種類の変化、即ち、バインドパターン、よこ糸パターン、布巻取パターンまたはこれらのパターン二つ以上の組合わせ等から生ずる変化を考慮できることは明白である。
　第２図はこの発明の方法により織るように特に設計された織機の概略図である。該織機の従来の部品は、公知の通りたて糸ビーム４；たて糸送出モータ５；たて糸６；ばね緩衝装置８を備えたバックレスト・ローラ７；ハーネス９；予め設定されたパターンに従いハーネス９を上下するドビー１０などよりなるハーネス運動機構；おさ１２付きスレィ１１主駆動モータ１３；よこ糸２〜２Ａを選択され予め設定されたよこ糸パターンに従い、ひぐち１５内に挿入できるようにする挿入手段１４；ブレストビーム１６；サンドビーム１８から成る布巻取運動機構１７，カウンタローラ１９と該サンドビーム制御用モータ２０であって、選択され予め設定された布巻取パターンに従い布巻取速度を変えるモータ２０，布ビーム２１とこれを駆動するモータ２２とである。織機の前記部品を制御する総体的な制御装置２３も従来のパルス発振器２４も示されているが、該発振器２４は主駆動軸の回転、即ちよこ糸挿入毎に一定数、例えば１０ヶのパルスを発生する。
　空気噴射織機の場合は前記挿入手段１４は色彩選択器と、主ノズルとを意味し、レピア織機の場合は、挿入手段１４は、給糸機構と、よこ糸２〜２Ａをひぐち１５内に挿入するレピアとを意味することは明らかである。
　織られるべき織柄は入力装置２５により入力されるが、例えばデータ記憶媒体とかデータをメモリに読込んだものによる。読込まれたデータにより、制御装置２３は織機の各部分を制御し織柄を決定する。即ちこの例では制御信号２６，２７および２８によりドビー１０、挿入手段１４およびモータ２０を所望順でそれぞれ制御する。また本発明によれば、制御装置２３が使用され、該装置は読込まれた織柄に従い信号２９を発するがこの信号は現在の織柄に最適の所望たて糸張力を与える基準値Ｒを表わす。この信号２９は制御機素３０に伝達されるが、該機素はまた、たて糸張力ゲージ３２から現在のたて糸張力を表わす信号３１を受ける。制御機素３０は制御信号３３を発生し、たて糸送出モータ５を制御し、たて糸６の張力は信号２９が要求する値となる。このため、たて糸張力は前記張力ゲージ３２により連続的に測定され、この測定された張力は信号３１により、現在の基準値Ｒに対して仂きかける。これは、制御信号３３が常に信号２９と３１間の差に従うか、好ましくは比例することを意味する。たて糸送出モータ５はその速度が前記差に比例するように制御されることになる。
　第３図は織機の主軸のクランク角度Ｘの値に従って第１図に示す布のための基準値Ｒに生ずる変動を示す。最適の布の外観を得るため、織柄の点Ｐ１乃至Ｐ５における各変化に対しては、たて糸張力の別の基準値Ｒが通常設定されなければならないことは明らかである。
　第３図における曲線Ｒ１は、選択された基準値のほぼ理論的な変動を示す。基準値曲線Ｒ１は点Ｐ１乃至Ｐ５に対応する時点で変わる。信号２９と３１との差により前述の通り制御信号３３を発する制御機素３０から成る調節機構には慣性があるため、基準値Ｒ、即ち信号２９にとっては曲線Ｒ２で示すように早目に制御することが好ましい。これは、実際のたて糸張力の変化が正しい瞬間即ち、布に点Ｐ１乃至Ｐ５の転移部が発生した正にその時に起るという利点をもつ。前記調節機構の慣性に対抗するため、曲線Ｒ３に示すように基準値の変更の際に振巾に単純なオーバーシュートを組込むこともできる。このようにして実際に得られるたて糸張力が信号２９に対し極めて迅速に反応することとなる。
　上記の曲線Ｒ１，Ｒ２，またはＲ３の変動は制御装置２３の記憶装置に記憶させることができる。信号２９が発生する所望のたて糸張力を表わす基準値Ｒの変動を織柄を決める織機部品の制御に同期化するためには、織機の主軸に取付けられたパルス発生機２４が発生するトリガ信号Ｔｒが使用される。この信号Ｔｒは主軸のクランク角度Ｘの値の関数として第４図に示す。曲線Ｒ１，Ｒ２またはＲ３に従い基準値を変えるため、布長Ｗ当たりのパルス数が数えられ、それにより或るパルスが正しい瞬間に正しい基準値Ｒを制御機素３０に与えるのに使用できる。第４図の場合の如く、トリガ信号が主軸の１回転毎に１０ヶのパルスを発するものとすると、信号２９は基準値Ｒの選択された変化に従いよこ糸挿入サイクルの１　１０時間で補正することができる。
　第３および第４図に示す例で、曲線Ｒ１が使用される場合、３１番目のパルスＮ３１が転移部Ｐ１において基準値Ｒを変える信号である。
曲線Ｒ２が使用される場合は、転移部Ｐ１に対し基準値Ｒは２３番目のパルスＮ２３で変えられる。曲線Ｒ３が使用される場合は転移部Ｐ１に対し基準値Ｒは１６番目のパルスＮ１６から３６番目のパルスＮ３６までの各パルスで与えられる関数変化に基づいて変えられる。転移部Ｐ２乃至Ｐ５についても同様である。
　本発明によれば制御装置２３には基準値Ｒの変化を記憶させる必要はないが、織柄を定める織機部品１０，１４と２０を制御するためのデータは記憶させる必要があることは明らかである。この目的のために制御装置２３は、解釈手段、例えば前記織機部品制御のために記憶されデータに基づいて基準値Ｒの最好適の変化を自動的に定めることができる適当なプログラムを備えるものとする。
　また、相続く転移部Ｐ０乃至Ｐ５間の基準値Ｒ（Ｒ１，Ｒ２，Ｒ３）の変化は必ずしも水平である必要はないことも明らかである。
　この発明の重要な特徴は、実際のたて糸張力を測定するために、極めて感度の高い測定装置が使用され、時間遅延を少なくしていることである。従って前記たて糸張力ゲージ３２としては第５図に示す型のものが好ましい。このたて糸張力ゲージ３２は織機のフレーム３４に装着された支持体３５に取付けられた３本の案内３６，３７と３８から成り、該案内はたて糸６の一部３９だけに作用する。この部分３９のたて糸は案内３６，３７の下方を通り、案内３８は上方を通り、然して３８の上にかかる圧力がたて糸６の張力を表わす。第５図によれば、この圧力は感圧素子４０、例えば圧電水晶により測定されるが、該素子４０は案内３８を支持し、前記圧力の関数となる信号３１を発生する。
　第６図はたて糸張力ゲージ３２の変形を示す。案内４１，４２と４３とこの場合も三本が使用される。部分３９のたて糸は両外側案内４１と４２の上方を通り、これらの間に置かれた案内４３の下方を通し、上向力がたて糸に加えられるようにする。中央の案内４３は弾性レバー４４上に取付けられ、該レバー４４の弯曲が歪計４５により測定され、該歪計４５は測定装置４６によりたて糸６の張力に比例する信号３１を発生する。
　この信号３１は瞬間的なたて糸張力か、または一定期間にわたる平均たて糸張力のいずれかを表わすことは明らかである。
　本発明は添付図面に基づき説明した実施例に限られることはなく、前記織柄の中の一つの織柄をもつ布を織るような方法とこれらの方法を実施する織機は本発明の範囲内で数種類の変形がなし得ると云うことができる。
【図面の簡単な説明】
　第１図は織柄に現われる多数の変化を示す布の断面図である。
　第２図は本発明実施による織機の概略図。
　第３図は本発明実施による、特に第１図の布の場合のたて糸張力の設定例を示す。
　第４図は織機のトリガ信号を示す。
　第５図はたて糸張力ゲージ、詳細には第２図の矢印Ｆ５の方向におけるたて糸張力ゲージの図である。
　第６図は第５図たて糸張力ゲージの変形を示す。
　１．．．布　　　　　　　　　　　　Ｗ．．．布長　　　　　　Ｒ：基準値
　Ａ，Ｂ，Ｃ，Ｄ，Ｅ．．．色々な柄領域
　Ｐ０〜Ｐ５．．．転移部　　　　　　　　　　　　　　２．．．よこ糸
　３．．．たて糸　　　　　　　　　　　　　　　　　　２３．．．制御装置
　５．．．たて糸送出モータ
　２４．．．パルス発生機　　　　　　　　　　　　　　２５．．．入力装置
　２６，２７，２８．．．制御信号
　３２．．．たて糸張力ゲージ　　　　　　　　　　　３０．．．制御機素
　３６，３７，３８．．．たて糸案内
　４０．．．感圧素子
　４１，４２，４３．．．たて糸案内